(57)【要約】      （修正有）【課題】簡便な方法でありながら、芝生地に穴等をあけることなくドライスポットが起きている芝生の根が存する層に水を早期に浸透させ供給することで、芝が枯死するのを防止することができる圧力浸透式灌注器を提供する。【解決手段】給水ホース３０と接合し芝生地に載置して灌注する灌注器１であって、所要の深さを有する略皿形状の本体２と、本体２の開口部の外周縁に位置し載置の際に芝生地に当接するフランジ１０と、開口部と対向する天板７と、天板７の上面に立設し給水ホースと接合する接合部３と、接合部３と本体２とを貫通する給水孔４と、給水孔４の本体側出口となる給水口５と、給水口５と間隙を介在して対向する位置に吊設された芝生地保護板６とで構成される。【選択図】図２
2019017311.tif 000002
【特許請求の範囲】
【請求項１】
給水ホースと接合し芝生地に載置して灌注する圧力浸透式灌注器であって、所要の深さを有する略皿形状の本体と、前記本体の開口部の外周縁に位置し載置の際に芝生地に当接するフランジと、前記開口部と対向する天板と、該天板の上面に立設し給水ホースと接合する接合部と、該接合部と前記本体とを貫通する給水孔と、該給水孔の本体側出口となる給水口と、該給水口と間隙を介在して対向する位置に吊設された芝生地保護板とを有することを特徴とする圧力浸透式灌注器。
【請求項２】
前記天板の上面に、凹溝と凸条とを交互に形成された凹凸形状の滑り止めを有していることを特徴とする請求項１に記載の圧力浸透式灌注器。
【請求項３】
広く芝生地に散水作業する際に使用する散水ノズルと、前記芝生地保護板を回動自在とする切換機構部とを有し、前記散水ノズルは前記給水口近傍に内設されていることを特徴とする請求項１から２のいずれか１項に記載の圧力浸透式灌注器。
【請求項４】
前記接合部に垂設された散水ノズルと、該散水ノズルと前記給水口とを切換え可能となる切換え弁とを有することを特徴とする請求項１から３のいずれか１項に記載の圧力浸透式灌注器。
【請求項５】
前記本体に水圧測定用の圧力計が配設されていることを特徴とする請求項１から４のいずれか１項に記載の圧力浸透式灌注器。
【発明の詳細な説明】
【技術分野】
【０００１】
本発明は、圧力浸透式灌注器に関し、特に、芝生地において局所的に発生する乾燥害（以下、「ドライスポット」と称する）を改善する為に用いられる、圧力浸透式灌注器に関するものである。
【背景技術】
【０００２】
ゴルフ場、サッカー場、テニスコートなどの芝生地には、土壌に砂を用いたサンドグリーンがある。特に、ゴルフ場のグリーン及びカラーは、多くの場合サンドグリーンであり、サンドグリーンや土壌中に粒状体を含む芝生では、ドライスポットが発生しやすい問題がある。
【０００３】
ドライスポットとは、土壌（芝生）の表面から所要の深さ（大凡５０ｍｍから１００ｍｍ程度）までの層が疎水性となり、散水してもその層は濡れない現象のことである。また、その疎水性を持つ原因は、フルボン酸やフミン酸などの高分子有機酸が土壌中の金属と結合し、もしくは変性した物質が、土壌中に含まれる砂や粒状体の表面に、コーティングするように付着し、砂が撥水性となるからといわれている。
【０００４】
また、ドライスポットをそのまま放置しておくと、肥料を散布しても、芝の根が存する層を、栄養分を含んだ水分が急速に透過してしまう為に、根から栄養分の吸収が不充分となり、その結果、芝は土壌水分及び栄養分の不足により、枯死する問題がある。
【０００５】
そこで、このような問題に対して特許文献１には、芝生地のドライスポットを抑制又は、修復（改善）するための土壌改良剤組成物が開示されている。すなわち、特許文献１に記載されている土壌改良剤組成物は、非イオン性界面活性剤と多価アルコール誘導体からなる土壌改良剤組成物の構成が開示されている。
【０００６】
また、特許文献２には、土壌内に薬液（肥料）や水を注入する薬液注入機が開示されている。その薬液注入機は、薬液供給管の先端に取り付けられた先細形状のノズルと、薬液供給用のポンプ等とからなり、そのノズルを土壌（芝生）の所要の深さまで突き刺し薬液（肥料）や水を注入させる構成としている。
【０００７】
さらに、特許文献３には、高圧力で液体を土壌面に向けて噴射しながら施用穴を形成して、この後側に肥料や消毒剤等の粉粒体を供給する粉粒体供給装置を設けた土壌灌注機が開示されている。
【先行技術文献】
【特許文献】
【０００８】
【特許文献１】特開２０１５−７４６７７号公報
【特許文献２】特開２００５−４００５８号公報
【特許文献３】特開２０００−４１４４９号公報
【発明の概要】
【発明が解決しようとする課題】
【０００９】
しかし、特許文献１に記載の土壌改良剤組成物では、軽い症状のドライスポットには有効に作用するが、撥水が強い重度のドライスポットには効果が期待できない。また、そのドライスポットの症状を改善するには、一定の期間を要し即効性は期待できない問題がある。
【００１０】
さらに、特許文献２に記載の薬液注入機や、特許文献３に記載の土壌灌注機では、土壌面（芝生地）に多数の穴が出来てしまうことや、場合によっては、土壌が撹拌され、その結果、土壌が噴出してしまうこと、さらには、穴を開ける際に芝生の根が損傷するという問題もあった。
【００１１】
本発明は、簡便な方法でありながら、芝生地に穴等をあけることなくドライスポットが起きている芝生の根が存する層に水を早期に浸透させ供給することで、芝が枯死するのを防止することができる圧力浸透式灌注器を提供することを目的とする。
【課題を解決するための手段】
【００１２】
本発明は、上記目的を達成するために案出されたものである。詳述するならば、給水ホースと接合し芝生地に載置して灌注する圧力浸透式灌注器であって、所要の深さを有する略皿形状の本体と、前記本体の開口部の外周縁に位置し、載置の際に芝生地に当接するフランジと、前記開口部と対向する天板と、芝生地に載置した状態で前記天板の上面に立設し給水ホースと接合する接合部と、該接合部と前記本体とを貫通する給水孔と、該給水孔の本体側出口となる給水口と、該給水口と間隙を介在して対向する位置に吊設された芝生地保護板との構成からなる。
【００１３】
本発明の圧力浸透式灌注器によって、芝生地のドライスポットに灌注するためには、本発明の圧力浸透式灌注器の開口部を芝生地に載置し、作業者が本体上に立ち、さらに給水ホースより給水することで開口部全面に低圧の水圧がかかり、芝生地に穴を開けるなど傷つけることが無く、水が土壌に短時間で浸透していく効果が得られる。
【００１４】
本発明には、前記天板の上面に、凹溝と凸条とを交互に形成された凹凸形状の滑り止めを有する構成が含まれる。
【００１５】
本発明の圧力浸透式灌注器は、天板の上面に、凹溝と凸条とを交互に形成された凹凸形状の滑り止めを形成することで、作業者が本体に自重をかけて芝生地に圧着した際に安定する効果がある。さらには、凹溝と凸条とを交互に形成することで、本体の強度確保及び軽量化にも効果が得られる。
【００１６】
さらに、本発明には、広く芝生地に散水作業する際に使用する散水ノズルと、前記芝生地保護板を回動自在とする切換機構部とを有し、前記散水ノズルは前記給水口近傍に内設されている構成が含まれる。
【００１７】
本発明の圧力浸透式灌注器は、ドライスポットには圧力浸透式灌注器として使用でき、通常の芝生地には広く散水作業ができる。さらに、散水ノズルを給水口近傍に内設したことで、小型化できる効果もある。
【００１８】
本発明には、前記接合部に垂設された散水ノズルと、該散水ノズルと前記給水口とを切換え可能となる切換え弁とを有する構成が含まれる。
【００１９】
本発明の圧力浸透式灌注器は、ドライスポットには切換え弁で給水口に連通し圧力浸透式灌注器として使用し、通常の芝生地には、切換え弁を散水ノズルに連通することで、広く散水作業ができる。さらに、構造が単純なため製造コスト低減や故障及び破損の恐れが少ない効果がある。
【００２０】
本発明には、前記本体に水圧測定用の圧力計が配設されている構成が含まれる。
【００２１】
本発明の圧力浸透式灌注器には、本体に圧力計が配設されているので、本体と芝生地とで形成される空間に溜まった水の圧力を測定し、さらに作業時間を管理することで一定の作業目安が判断可能となる。
【発明の効果】
【００２２】
本発明の圧力浸透式灌注器は、簡便な方法でありながら、芝生地に穴等をあけることなくドライスポットが発生している芝生の根が存する層に、水を早期に浸透させ供給することで、芝生が枯死するのを防止することができるという利点がある。
【図面の簡単な説明】
【００２３】
【図１】本発明に係る圧力浸透式灌注器の実施形態を示す斜視図である。
【図２】図１に示す圧力浸透式灌注器の第１実施形態を示すA-A断面図である。
【図３】本発明の第２実施形態に係る圧力浸透式灌注器を示す側面図である。
【図４】本発明の第３実施形態に係る圧力浸透式灌注器の使用状態を示す拡大一部切欠正面図である。
【図５】図４に係る切換機構部の散水ノズル使用状態を示す正面図である。
【図６】図４に係る芝生地保護板を示す底面図である。
【図７】本発明の第４実施形態に係る圧力浸透式灌注器を示す正面図である。
【図８】本発明の第５実施形態に係る圧力浸透式灌注器を示す斜視図である。
【図９】図７に係る圧力浸透式灌注器の使用状態を示す正面図である。
【図１０】本発明に係る圧力浸透式灌注器の参考例を示す平面図である。
【図１１】本発明の第６実施形態に係る圧力浸透式灌注器の使用状態を示す拡大一部切欠正面図である。
【図１２】図１１に係る切換機構部の散水ノズル使用状態を示す正面図である。
【図１３】図１１に係る芝生地保護板及び散水ノズルを示す底面図である。
【発明を実施するための形態】
【００２４】
以下、本発明の実施形態を図面を参照しながら説明する。
なお、実施形態において、圧力浸透式灌注器を芝生地に載置した状態において、開口部側が下側とし、天板側を上側という。
【００２５】
（第１実施形態）
図１及び図２に示されるように、本発明に係る圧力浸透式灌注器１は、略皿形状の本体２と、給水ホース３０と接合する接合部３と、接合部３と本体２とを貫通する給水孔４と、給水孔４の本体側出口となる給水口５と、給水口５と間隙を介在して対向する位置に吊設された芝生地保護板６とからなる。
【００２６】
本体２は、所要の面積を有する略矩形状の天板７と、この天板７の周囲から所要の高さで吊設された側板部８と、その側板部８で形成される開口部９と、さらに開口部９の外周縁に位置し本体を芝生地に載置する際に芝生地に当接するフランジ１０とで構成されている。
【００２７】
また、本体２の天板７の上面には接合部３が垂設され、さらに、給水口５と芝生地との間に位置する芝生地保護板６が本体２に吊設されている。
【００２８】
本体２と接合部３は、アルミニウム合金や亜鉛合金または、マグネシウム合金等を材料とし、ダイカストをはじめとする鋳造法または、切削加工等で形成する。
また、芝生地保護板６も上記同様に形成しても良いが、他にはステンレス鋼等の金属材を切削又はプレス加工にて形成しても良い。
【００２９】
本発明の圧力浸透式灌注器１によって、芝生地、特にドライスポットが発生している場所に灌注するには、図２及び図９に示すように、まず、接合部３に給水ホース３０を接合し、開口部９を下向きにして、フランジ１０が芝生地に当接するように圧力浸透式灌注器１を載置する。
つぎに、図９に示すように、作業者は、天板７の上に両足５０，５０で立ち、圧力浸透式灌注器１を芝生地に作業者の自重で押圧し、給水元のコック（図示せず）を開き給水を開始する。
【００３０】
給水ホースより供給された流水は、給水口５から吐出した後に芝生地保護板６に勢いを弱められ、圧力浸透式灌注器１と芝生地とによって形成された空間に溜まる。この時、作業者は、水圧で圧力浸透式灌注器１が浮き上がらないように水圧を低圧に給水元のコックで調整する。その結果、芝生地に穴を開けるなど芝生地を傷つける恐れがないばかりではなく、水は土壌に浸透し、芝の根が存する層に水を早期に供給することができるので、芝が枯死することを防止することができる。
【００３１】
（第２実施形態）
図１及び図３に示されるように、本実施形態に係る圧力浸透式灌注器１は、天板７の上面に圧力浸透式灌注器１の長手方向に延びる、凹溝１１ａと凸条１１ｂとを交互に形成された凹凸形状の滑り止め１１が形成されている。
【００３２】
本発明の本体２は、作業者が自重をかけて押圧する時に、変形しない所要の強度が必要となる。本体２が変形すると、密閉性が低下し、本体２と芝生地で形成された空間に溜まった水が芝生地に沿って漏れ、全体の水圧が抜けるので、水が土壌に浸透しない問題が発生する。
【００３３】
本実施形態の効果は、水に濡れた状態でも足が滑りにくいように、滑り止め１１を形成したことと同時に、凹溝１１ａと凸条１１ｂを形成することで、本体２の全体剛性が向上する。
さらに、凹溝１１ａと凸条１１ｂが無い物に比べて、所要の強度を確保するという条件において、圧力浸透式灌注器１を軽量化できる効果もある。
なお、本実施形態の使用方法や製造方法などは、第１実施形態と同様である。
【００３４】
（第３実施形態）
図４、図５及び図６に示されるように、本実施形態に係る圧力浸透式灌注器１は、広く芝生地に散水作業する際に使用する散水ノズル１２と、芝生地保護板６を回動自在とする切換機構部２０とを有する。
【００３５】
芝生地保護板６は、底面視略矩形状の一角を切欠き、その切欠きの所要位置に芝生地保護板６の一端を天板７に係止する係止ピン１８と嵌合する嵌合溝２１とを有し、その嵌合溝２１の入口近傍には拡幅部２２が形成されている。
【００３６】
また、給水口５近傍には散水ノズル１２が内設され、芝生地保護板６が係止ピン１８と嵌合した状態においては、散水ノズル１２と芝生地保護板６とは間隙を介在して対向する位置に配置されている。
【００３７】
切換機構部２０は、芝生地保護板６の上面所要の位置に垂設された切換えハンドル１６と、天板７の上面に垂設された軸受け部１７と切換えハンドル１６を挿通し芝生地保護板６の上面と天板７の下面との間に配設されたコイルスプリング１５と、天板７の下面に吊設され芝生地保護板６を係止する係止ピン１８とからなる。
【００３８】
切換えハンドル１６は、軸受け部１７に摺動自在及び、回動自在に軸支され、芝生地保護板６の位置を切換え可能となる。
軸受け部１７には、芝生地保護板６をセットする位置の保護板ストッパー部１７ｂと、散水ノズル１２が使用可能となる位置のノズル使用ストッパー部１７ａが形成されている。
【００３９】
本実施形態の圧力浸透式灌注器１は、ドライスポットには圧力浸透式灌注器１として使用し、通常の芝生地には広く散水作業ができるので、作業者は、圧力浸透式灌注器１と散水ノズル１２とを作業途中で持ち替える必要が無く、作業効率が向上する。さらに、本発明の圧力浸透式灌注器１は散水ノズル１２を給水口５近傍に内設したことで小型化できる効果もある。
【００４０】
本実施形態の使用方法は、まず圧力浸透式灌注器１として使用する場合は、切換えハンドル１６を摺動及び回動して、保護板ストッパー部１７ｂに移動し、圧力浸透式灌注器１を完成させる。それ以降の使用方法は第１実施形態と同様である。また、散水作業をする場合は、作業者は切換えハンドル１６を摺動及び回動して、ノズル使用ストッパー部１７ａに移動し芝生地保護板６を回動させた後、本体２を手で保持して給水を開始すると広く芝生地に散水できる。
なお、本実施形態の製造方法は、ほぼ第１実施形態と同様である。
【００４１】
（第４実施形態）
図７に示されるように、本実施形態に係る圧力浸透式灌注器１は、接合部３に垂設された散水ノズル１２と、給水される先を、散水ノズル１２もしくは、給水口５に切換え可能となる切換え弁２３とを有する。
【００４２】
本実施形態に係る圧力浸透式灌注器１は、構造が単純でありながら散水ノズル１２も使用でき、製造コストの低減及び、故障や破損の恐れが少ない効果がある。
なお、本実施形態の製造方法は、ほぼ第１実施形態と同様であり、使用方法は、切換え弁２３を操作する以外は第３実施形態とほぼ同様である。
【００４３】
（第５実施形態）
図８に示されるように、本実施形態に係る圧力浸透式灌注器１は、天板７の上面に
水圧測定用の圧力計２４が配設されている。
【００４４】
本実施形態に係る圧力浸透式灌注器１には、天板７に圧力計２４が配設されていることで、本体２と芝生地とで形成される空間に溜まる水の圧力を測定し、さらに作業時間を管理することで一定の作業目安が判断可能となる効果が得られる。
【００４５】
（第６実施形態）
図１１、図１２及び図１３に示されるように、本実施形態に係る圧力浸透式灌注器１は、広く芝生地に散水作業する際に使用する散水ノズル１２と、芝生地保護板６とが一体構造で形成され、その散水ノズル１２と芝生地保護板６とを切換える切換機構部２０とを有する。
【００４６】
芝生地保護板６は、底面視略矩形状の一角を切欠き、その切欠きの所要位置に芝生地保護板６の一端を天板７に係止する係止ピン１８と嵌合する嵌合溝２１とを有し、その嵌合溝２１の入口近傍には拡幅部２２が形成されている。
また、芝生地保護板６の長さ方向の上記切欠きとは違う他端側の上面に垂設され、さらに芝生地保護板６と平行となるように屈折された、散水ノズル１２と芝生地保護板６とを連結する連結アーム１９とが形成されている。
【００４７】
また、その連結アーム１９の先端近傍に付設された、散水ノズル１２の上面には、給水口５と嵌合するスリーブ１４が形成され、スリーブ１４の外周には天板７の下面と当接するＯリング１３が外嵌されている。
【００４８】
切換機構部２０は、芝生地保護板６の上面所要の位置に垂設された切換えハンドル１６と、天板７の上面に垂設された軸受け部１７と切換えハンドル１６を挿通し芝生地保護板６の上面と天板７の下面との間に配設されたコイルスプリング１５と、天板７の下面に吊設され芝生地保護板６を係止する係止ピン１８とからなる。
【００４９】
切換えハンドル１６は、軸受け部１７に摺動自在及び、回動自在に軸支され、散水ノズル１２と芝生地保護板６とを切換え可能となる。
軸受け部１７には、芝生地保護板６をセットする位置の保護板ストッパー部１７ｂと、散水ノズル１２をセットする位置のノズル使用ストッパー部１７ａが形成されている。
【００５０】
本実施形態の圧力浸透式灌注器１は、ドライスポットには圧力浸透式灌注器１として使用し、通常の芝生地には広く散水作業ができるので、作業者は、圧力浸透式灌注器１と散水ノズル１２とを作業途中で持ち替える必要が無く、作業効率が向上する。さらに、本発明の圧力浸透式灌注器１は散水ノズル１２と芝生地保護板６とを一体式で形成しているので、小型化できる効果もある。
【００５１】
本実施形態の使用方法は、まず圧力浸透式灌注器１として使用する場合は、切換えハンドル１６を摺動及び回動して、保護板ストッパー部１７ｂに移動し、圧力浸透式灌注器１を完成させる。それ以降の使用方法は第１実施形態と同様である。また、散水作業をする場合は、作業者は切換えハンドル１６を摺動及び回動して、ノズル使用ストッパー部１７ａに移動し、散水ノズル１２に切り替えた後、本体２を手で保持して給水を開始すると広く芝生地に散水できる。
なお、本実施形態の製造方法は、ほぼ第１実施形態と同様である。
【実施例】
【００５２】
以下、本発明の実施例について説明するが、本発明は、以下の実施例に限定されるものではなく、発明の要旨の範囲内で適宜変更して実施できる。
【００５３】
本実施例では、開口部９の寸法が２４９ｍｍ×２４９ｍｍの略正方形を成し、側板部８の高さ寸法が２５ｍｍで形成された本体２を使用した。
作業者の体重は７５ｋｇで、水源の吐出圧力は１Ｍｐａ程度に設定し、給水ホース３０から給水開始後およそ２秒から３秒程度で本体２と芝生地とで形成した空間に水が満たされ、その後加圧が始まり、さらに５秒から１０秒程度加圧（給水）を続けた。
この時、本体２に配設された圧力計の測定値は、３Ｋｐａ〜５Ｋｐａであった。加圧値はこの程度に留めることが好ましく、加圧しすぎると芝生地を痛めてしまうこととなる。
灌注する芝生地におけるドライスポットの症状に応じて、加圧（給水）する時間を調整して、対応することが好ましい。
【００５４】
本実施例の効果を、検土杖（土壌を検査するための道具）にて検査したところ、芝生地の表面からの深さが５０ｍｍから１００ｍｍ程度の深さ、すなわち、芝生の根が存する層にまで水が浸透しており、芝が枯死するのを防止できることが確認できた。
【００５５】
以上のように、本発明を実施するための最良の構成、方法等は、上記記載で開示されているが、本発明は、これに限定されるものではない。
例えば、上記実施形態では、本体は、略矩形状として説明したが、その構成に限定するものではなく、例えば、図１０に示すように円盤形状の本体２を使用しても良い。
【００５６】
また、上記実施形態では、天板の上面に接合部を垂設したが、本発明はこれに限定するものではなく、例えば、側板部に付設しても良い。
さらに、上記実施形態では、作業者が本体に立ち作業者の自重を利用して加圧していたが、その構成に限定するものでなく、他の重りを本体に載せ作業員が灌注器を手でけん引するか、もしくは乗用タイプの車両に灌注器を取り付ける構成としても良い。
そのほかに、上記実施形態では、芝生地保護板が切換機構部で回動自在に軸支され芝生保護板を回動することで散水可能となる構成となっていたが、その構成に限定するものではなく、例えば、散水ノズルは給水口に内設し、芝生地保護板は一端が天板の下面に回動自在に軸着され、芝生地保護板の他端は天板より吊設された係止フックに係止されている構成としても良い。
【符号の説明】
【００５７】
１    圧力浸透式灌注器
２    本体
３    接合部
４    給水孔
５    給水口
６    芝生地保護板
７    天板
８    側板部
９    開口部
１０    フランジ
１１    滑り止め
１１ａ    凹溝
１１ｂ    凸条
１２    散水ノズル
１３    Ｏリング
１４    スリーブ
１５    コイルスプリング
１６    切換えハンドル
１７    軸受け部
１７ａ    ノズル使用ストッパー部
１７ｂ    保護板ストッパー部
１８    係止ピン
１９    連結アーム
２０    切換機構部
２１    嵌合溝
２２    拡幅部
２３    切換え弁
２４    圧力計
３０    給水ホース
５０    作業者
【図１】
2019017311.tif 000003
【図２】
2019017311.tif 000004
【図３】
2019017311.tif 000005
【図４】
2019017311.tif 000006
【図５】
2019017311.tif 000007
【図６】
2019017311.tif 000008
【図７】
2019017311.tif 000009
【図８】
2019017311.tif 000010
【図９】
2019017311.tif 000011
【図１０】
2019017311.tif 000012
【図１１】
2019017311.tif 000013
【図１２】
2019017311.tif 000014
【図１３】
2019017311.tif 000015
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
給水ホースと接合し芝生地に載置して灌注する圧力浸透式灌注器であって、所要の深さを有する略皿形状の本体と、前記本体の開口部の外周縁に位置し載置の際に芝生地に当接するフランジと、前記開口部と対向する天板と、該天板の上面に立設し給水ホースと接合する接合部と、該接合部と前記本体とを貫通する給水孔と、該給水孔の本体側出口となる給水口と、該給水口と間隙を介在して対向する位置に吊設された芝生地保護板とを有することを特徴とする圧力浸透式灌注器。
【請求項２】
前記天板の上面に、凹溝と凸条とを交互に形成された凹凸形状の滑り止めを有していることを特徴とする請求項１に記載の圧力浸透式灌注器。
【請求項３】
広く芝生地に散水作業する際に使用する散水ノズルと、前記芝生地保護板を回動自在とする切換機構部とを有し、前記散水ノズルは前記給水口近傍に内設されていることを特徴とする請求項１から２のいずれか１項に記載の圧力浸透式灌注器。
【請求項４】
前記接合部に垂設された散水ノズルと、該散水ノズルと前記給水口とを切換え可能となる切換え弁とを有することを特徴とする請求項１から２のいずれか１項に記載の圧力浸透式灌注器。
【請求項５】
前記本体に水圧測定用の圧力計が配設されていることを特徴とする請求項１から４のいずれか１項に記載の圧力浸透式灌注器。